【手続補正書】
【提出日】平成19年6月26日(2007.6.26)
【手続補正１】
【補正対象書類名】明細書
【補正対象項目名】発明の名称
【補正方法】変更
【補正の内容】
【発明の名称】基地局及びその制御方法
【手続補正２】
【補正対象書類名】明細書
【補正対象項目名】特許請求の範囲
【補正方法】変更
【補正の内容】
【特許請求の範囲】
【請求項１】
受信信号に乗算するレプリカ拡散符号を出力する符号レプリカ発生器と、
受信信号とレプリカ拡散符号とを乗算した逆拡散値に基づいて相関電力値とその同期位置とを演算する相関演算器と、
前記相関演算器からの前記相関電力値と前記同期位置とに基づいて、閾値以上の相関電力値を同期位置候補として決定するサーチャーと、
前記サーチャーからの前記同期位置候補と前記同期位置とに基づいて拡散符号を出力する符号発生器と、
前記符号発生器からの拡散符号と受信信号とを乗算して受信信号の逆拡散値を出力する相関器と、
前記相関器からの前記逆拡散値を復号し、復号して得られたデータのデータ誤り率を演算して出力する復号部と、
基地局における同期捕捉動作を制御する制御部と、を備え、
前記制御部は、
受信信号の総受信電力量に基づいて、前記閾値を設定する相関閾値設定手段と、
前記サーチャーを監視して前記サーチャーが所定時間内に前記同期位置候補を決定できないとき前記閾値の設定をやり直す相関値変更手段と、
前記復号部からデータ誤り率が所定時間内に所定値に到達しないとき、前記サーチャーを制御して前記同期位置候補を変更させる同期位置候補変更手段と、
を備えることを特徴とする基地局。
【請求項２】
受信信号に乗算するレプリカ拡散符号を出力する符号レプリカ発生器と、
受信信号とレプリカ拡散符号とを乗算した逆拡散値に基づいて相関電力値とその同期位置とを演算する相関演算器と、
前記相関演算器からの前記相関電力値と前記同期位置とに基づいて、閾値以上の相関電力値を同期位置候補として決定するサーチャーと、
前記サーチャーからの前記同期位置候補と前記同期位置とに基づいて拡散符号を出力する符号発生器と、
前記符号発生器からの拡散符号と受信信号とを乗算して受信信号の逆拡散値を出力する相関器と、
前記相関器からの前記逆拡散値を復号し、復号して得られたデータのデータ誤り率を演算して出力する復号部と、
基地局における同期捕捉動作を制御する制御部と、を備え、
前記制御部は、
受信信号の総受信電力量に基づいて、前記閾値を設定する相関閾値設定手段と、
前記サーチャーを監視して前記サーチャーが所定時間内に前記同期位置候補を決定できないとき前記閾値の設定をやり直す相関値変更手段と、
前記復号部からデータ誤り率が所定時間内に所定値に到達しないとき、前記閾値に所定値を加算する相関閾値調整手段と、
を備えることを特徴とする基地局。
【請求項３】
請求項１又は請求項２に記載の基地局において、
前記制御部は、
前記受信信号の総受信電力量に対応する前記閾値の値が予め設定された変換テーブルを保持していることを特徴とする基地局。
【請求項４】
請求項３に記載の基地局において、
前記制御部は、
前記変換テーブルに設定された前記閾値の値を同期捕捉が成功した時の閾値に基づいて書き換える、変換テーブル書き換え手段を備えることを特徴とする基地局。
【請求項５】
受信信号に乗算するレプリカ拡散符号を出力する符号レプリカ発生器と、受信信号とレプリカ拡散符号とを乗算した逆拡散値に基づいて相関電力値とその同期位置とを演算する相関演算器と、前記相関演算器からの前記相関電力値と前記同期位置とに基づいて、閾値以上の相関電力値を同期位置候補として決定するサーチャーと、前記サーチャーからの前記同期位置候補と前記同期位置とに基づいて拡散符号を出力する符号発生器と、前記符号発生器からの拡散符号と受信信号とを乗算して受信信号の逆拡散値を出力する相関器と、前記相関器からの前記逆拡散値を復号し、復号して得られたデータのデータ誤り率を演算して出力する復号部と、基地局における同期捕捉動作を制御する制御部とを備える基地局の制御方法であって、
前記制御部は、
受信信号の総受信電力量に基づいて、前記閾値を設定する相関閾値設定工程と、
前記サーチャーを監視して前記サーチャーが所定時間内に前記同期位置候補を決定できないとき前記閾値の設定をやり直す相関値変更工程と、
前記復号部からデータ誤り率が所定時間内に所定値に到達しないとき、前記サーチャーを制御して前記同期位置候補を変更させる同期位置候補変更工程と、
を備えることを特徴とする基地局の制御方法。
【請求項６】
受信信号に乗算するレプリカ拡散符号を出力する符号レプリカ発生器と、受信信号とレプリカ拡散符号とを乗算した逆拡散値に基づいて相関電力値とその同期位置とを演算する相関演算器と、前記相関演算器からの前記相関電力値と前記同期位置とに基づいて、閾値以上の相関電力値を同期位置候補として決定するサーチャーと、前記サーチャーからの前記同期位置候補と前記同期位置とに基づいて拡散符号を出力する符号発生器と、前記符号発生器からの拡散符号と受信信号とを乗算して受信信号の逆拡散値を出力する相関器と、前記相関器からの前記逆拡散値を復号し、復号して得られたデータのデータ誤り率を演算して出力する復号部と、基地局における同期捕捉動作を制御する制御部とを備える基地局の制御方法であって、
前記制御部は、
受信信号の総受信電力量に基づいて、前記閾値を設定する相関閾値設定工程と、
前記サーチャーを監視して前記サーチャーが所定時間内に前記同期位置候補を決定できないとき前記閾値の設定をやり直す相関値変更工程と、
前記復号部からデータ誤り率が所定時間内に所定値に到達しないとき、前記閾値に所定値を加算する相関閾値調整工程と、
を備えることを特徴とする基地局の制御方法。
【手続補正３】
【補正対象書類名】明細書
【補正対象項目名】０００４
【補正方法】変更
【補正の内容】
【０００４】
【課題を解決するための手段】
本発明は以上の点を解決するため次の構成を採用する。
〈構成１〉
受信信号に乗算するレプリカ拡散符号を出力する符号レプリカ発生器と、受信信号とレプリカ拡散符号とを乗算した逆拡散値に基づいて相関電力値とその同期位置を演算する相関演算器と、前記相関演算器からの前記相関電力値と前記同期位置とに基づいて閾値以上の相関電力値を同期位置候補として決定するサーチャーと、前記サーチャーからの前記同期位置候補と前記同期位置とに基づいて拡散符号を出力する符号発生器と、前記符号発生器からの拡散符号と受信信号とを乗算して受信信号の逆拡散値を出力する相関器と、前記相関器からの前記逆拡散値を復号し、復号して得られたデータのデータ誤り率を演算して出力する復号部と、基地局における同期捕捉動作を制御する制御部とを備え、前記制御部は、受信信号の総受信電力量に基づいて、前記閾値を設定する相関閾値設定手段と、前記サーチャーを監視して前記サーチャーが所定時間内に前記同期位置候補を決定できないとき前記閾値の設定をやり直す相関値変更手段と、前記復号部からデータ誤り率が所定時間内に所定値に到達しないとき、前記サーチャーを制御して前記同期位置候補を変更させる同期位置候補変更手段とを備えることを特徴とする基地局。
【手続補正４】
【補正対象書類名】明細書
【補正対象項目名】０００５
【補正方法】変更
【補正の内容】
【０００５】
〈構成２〉
上記構成１に記載の基地局の同期位置候補変更手段に換えて、前記復号部のデータ誤り率が所定時間内に所定値に到達しないとき前記閾値に所定値を加算する相関閾値調整手段を備えることを特徴とする基地局。
【手続補正５】
【補正対象書類名】明細書
【補正対象項目名】０００６
【補正方法】変更
【補正の内容】
【０００６】
〈構成３〉
上記構成１又は上記構成２に記載の基地局において、前記制御部は、前記受信信号の総受信電力量に対応する前記閾値の値が予め設定された変換テーブルを所持していることを特徴とする基地局。
【手続補正６】
【補正対象書類名】明細書
【補正対象項目名】０００７
【補正方法】変更
【補正の内容】
【０００７】
〈構成４〉
上記構成３に記載の基地局において、前記制御部は、前記変換テーブルに設定された前記閾値の値を同期捕捉が成功したときの閾値に基づいて書き換える、変換テーブル書き換え手段を備えることを特徴とする基地局。